【事件の表示】
　特許第２９２９０５５号「パチンコ機」の請求項１乃至３に係る特許に対する特許異議の申立てについて、次のとおり決定する。
【結　論】
　特許第２９２９０５５号の請求項１乃至３に係る特許を維持する。
【理　由】
１．本件発明
　特許第２９２９０５５号（平成５年１月２７日出願、平成１１年５月２１日設定登録）の請求項１乃至３に係る発明（以下「本件発明１」、「本件発明２」、「本件発明３」という）は、その特許請求の範囲の請求項１乃至３に記載された事項により特定される次のとおりのものと認める。
　
「【請求項１】　予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備えたものにあって、
　図柄組合わせ表示装置の図柄表示器の表示図柄として、特定の図柄からなる更新図柄を含み、図柄表示器が前記更新図柄で停止表示又は停止に近い緩速度で表示された場合に、他の図柄表示器が停止表示又は停止に近い緩速度で表示された後に、更新図柄を表示した該図柄表示器を変化させて、再び図柄を表示させる制御指令手段を具備したことを特徴とするパチンコ機。」、
「【請求項２】　前記制御指令手段が、前記更新図柄が表示されても、変化する場合と、変化しない場合とを生じさせる制御内容を備えた請求項１記載のパチンコ機。」、
「【請求項３】　前記更新図柄が複数あることを特徴とする請求項１記載のパチンコ機。」
　
２．申立の理由の概要
　申立人町田彬は、請求項１及び２に係る発明は、甲第１号証（特開昭６２−１４４６７９号公報）及び甲第２号証（特開昭５９−５５２７４号公報）または甲第３号証（実願昭６２−８６９１２号（実開昭６３−１９５８９１号公報）のマイクロフィルム）に記載された発明に基づいて、また、請求項３に係る発明は、甲第１号証（特開昭６２−１４４６７９号公報）及び甲第２号証（特開昭５９−５５２７４号公報）に記載された発明に基づいて当業者が容易に発明し得たものであって、特許法第２９条第２項の規定により特許を受けることができず、本件発明１乃至３の特許は、特許法第１１３条第２号の規定に該当すると認められるので、取り消されるべきものである旨主張している。
　
３．甲号各証記載の発明
  甲第１号証には
　「全ての図柄が固定表示された結果一つの図柄が異っている場合にラッキーチャンスとしてその異種図柄を再可変表示し得ること、の内容を以ってゲームに新しい変化を奏し得るとともに適正なサービス性を付与し、遊技者の興味を高めることにある。」（第２頁右下欄第４行〜第９行）、
　「本例では、従来より周知の電動発射式のパチンコ遊技機に図柄可変組合せ表示技術を採用した例を示しており、第１図に略示される本例遊技機では、その主要構成として外枠１に対する前枠２の前面にガラス扉３と球皿４が開閉自在に装着される一方、前枠２の前面下部に別の球皿５が装着されており、そして電動発射装置６の操作部７が前枠２の前面右下部に設置され、また同装置６の駆動部側すなわちカム付きモータ８、ばね力が調節される打球杵９等が前枠２の裏面下部に夫々設置されている。」（第２頁右下欄第１３行〜第３頁左上欄第３行）、
　「前述の図柄可変組合せ表示技術にかかる構成例を説明すると、第１図および第２図に略示するように前記遊技盤１０の所定位置に複数個（図示３個）の入賞検出具１５，１５と、電動式の大入賞装置１８と、電気的図柄可変表示装置２５が夫々配置されている。各々の入賞検出具１５，１５では、入球に対応して表置（「示」の誤記と認められる）装置２５に表示作動開始条件を付加するもので、第３図に示すようにゲーム面に臨む入賞口１６と、同口１６に対し遊技盤１０の裏面に設置された検出スイッチ１７とを有し、そして入賞口１６に入った打球をセーフ球とし得るとともに同セーフ球をスイッチ１７により１個ずつ検出してその都度入球始動信号を発する。」（第３頁右上欄第８行〜第２０行）、
　「上記大入賞装置１８では表示装置２５における図柄組合せ成立時に開成条件が付加されるもので、第４図に示すようにゲーム面に取着される本体１９中央に開設された横長の大入賞口２０と、この大入賞口２０前面に対設された開閉板２１と、大入賞口２０内の所定位置に設置された連続検出具２２と、大入賞口２０の出口側に組込まれた球数検出具２３と、そして本体１９の裏側（遊技盤１０裏側）に設置されて上記開閉板２１に連繋された電磁ソレノイド２４等を備えており、上記両検出具２２，２３およびソレノイド２４の互いの設定作動条件に応じて開閉板２１を開閉し得る。」（第３頁左下欄第１行〜第１２行）、
　「そして前記図柄可変装置２５は、前記各入賞検出具１５，１５からの入球始動信号毎に応答して図柄の表示態様が設定プログラムに基いて電気的に変更されるもので、第５図および第６図に示すように、遊技盤１０のゲーム面に取着された器本体２６の裏側に表示基盤２８が組付けられており、器本体２６では４つの表示窓２７，２７が開設され、また表示基盤２８では一方の面に当該表示窓２７，２７に嵌合される４個の表示器２９，３０が配設され、他面に前記各入賞検出具１５、連続作動検出具２２、球数検出具２３およびソレノイド２４に対する夫々の接続端３１，３２，３３，３４そして後述する制御基盤４１に対する接続具３５が配設されており、そしてこれら各部品が表示基盤２８自体に設定された回路に接続されて１つの制御盤単位に構成されている。」（第４頁左上欄第５行〜第２０行）、
　「本例の遊技機における図柄可変組合せ表示式ゲームは、前述の構成から理解されるように遊技者の意志により図柄可変表示装置２５における選択表示具２９に１つの図柄が選択されたもとで、遊技盤１０のゲーム面に打出された打球が各々の入球検出具１５，１５に入賞したことに供ない入球始動信号が発生される毎に開始されることになり、各信号に応答して表示装置２５が、制御基盤４１の中央演算処理部４６に設定されたプログラムに基いて表示作動されて夫々のセグメント表示部が個別的に図柄を連続的に変更表示して順次停止し、そして個別表示の結果に得られた夫々の図柄（数字）の組合せ成立条件が判定されるものである。」（第５頁右下欄第７行〜第１９行）、
　「ｃ）一方図（ニ）および図（ホ）のように左、中の二つがともに同種数字「３，３，＊」、「７，７，＊」でありかつ選択数字「３」または記憶数字「７」とも同一である場合には、判定動作［ＩＩ］における「Ａ＝Ｃか」の判定結果がＮｏであり続く「Ａ＝Ｄか」の判定結果がＹｅｓであるから「再可変要」として処理され、以降右の表示器３０に対して再可変表示信号が入力されて数字「＊」が再可変表示される。」（第７頁左下欄第２０行〜右下欄第８行）、
　「更には選択表示技術と再可変表示技術とを分離して単独使用すること。」（第８頁左下欄第１１行〜第１２行）、
　「表示装置における図柄表示器に対して再可変表示機能が付加されていることにより、全ての表示器に固定表示された図柄において、一つの図柄のみが設定外の異種図柄であった場合にその異種図柄にかかる表示器にラッキーチャンスとして再可変表示条件が与えられて再び図柄が変更表示され、そしてこの再可変表示器に固定表示された新たな図柄と、上記他の表示器における夫々の図柄と、が互いに組合せ条件を成立した場合には、その褒賞として適当な開放条件が得られる。」（第８頁右下欄第１７行〜第９頁左欄第６行）、
　「従って本発明に係る遊技機によれば、在来機による表示ゲームでは到底予測も期待もし得なかった図柄選択およびラッキー再可変表示内容がゲームに適正に反映し得ることにより、遊技者が新しいゲーム態様、展開を充分楽しむことができ、ゲームに対する興味を高めることができる。」（第９頁左欄第７行〜第１２行）と記載されている。
　甲第２号証には、
　「（１）回転自在なリールを複数個連設してなるスロットマシンにおいて、少なくとも１つのリールに特定のシンボルマークを設け、このシンボルマークが入賞ライン上に停止した時には、このリールを正逆回転させることが出来るように構成したことを特徴とするスロットマシン。」（特許請求の範囲）、
　「第２図は本発明スロットマシンに使用されるシール３１を張り付けたリール３０を示し、コマ移動に関する特定シンボルマーク（星印）３２が付加されている。このシンボルマーク３２が入賞ライン上に停止した場合には、このリール３０を例えば正逆に４コマ（何コマでも難易度に応じ適宜選択されるが説明のため以下４コマとする）以内の適当な位置に回動移動できるのである。」（第２頁右欄第９行〜第１６行）、
　「表示窓部１０の表示窓１１からはそれぞれのリール３０ないし５０のシンボルマークがそれぞれ３個づつ観察され、遊戯者はこれらのシンボルマークの回転移動中にストップスイッチ６ないし８を操作して各リール３０ないし５０をそれぞれ停止させる。一般のスロットマシンはこの停止したシンボルマークの状態すなわち入賞ライン上に当りシンボルマークが並んでいるか否かによって払い出しが行なわれるのであるが、本発明スロットマシンの場合は、例えば第４図に示すシンボルマークの配置で各リール３０ないし５０が停止したとする。この場合、リール３０およびリール５０のシンボルマークが特定シンボルマーク（星印）となっているので、リール３０あるいはリール５０のいずれかあるいは両方を正逆回転させ、４コマ以内のコマ移動ができる。」（第２頁左下欄第６行〜右下欄第１行）、
　「メインコントローラ８０は前記スタートスイッチ２のＯＮによりゲームプログラムが実行され、モータ制御回路１２ないし１４にパルスを供給する。これにより、パルスモータ１６ないし１８は回転を開始する。一方、モータ制御回路１２ないし１４に供給されたパルス信号は、メインコントローラ８０自身によって積算され、その値がリール毎に記憶される。」（第３頁左上欄第７行〜第１４行）、　「さらに各リール３０ないし５０には特定シンボルマーク（星印）の検出を行なうために遮光片３０ｂないし５０ｂが設けられており、この遮光片３０ｂないし５０ｂはホトインタラプタ２２ないし２４で検出され、この検出信号がメインコントローラ８０に送られる。メインコントローラ８０はこの信号を受けると、この信号を受けたリールのストップスイッチ６，７あるいは８のＯＮ信号の数のパルスをモータ駆動回路１２，１３あるいは１４に送出する。これにより入賞ライン上に特定シンボルマーク（星印）が位置した場合にはさらにこのリールを回転移動させることが出来るのである。」（第３頁右上欄第４行〜第１５行）、
　「ストップスイッチ６ないし８を押して、各リール３０ないし５０を停止させた際に、所定の入賞ラインに並んだ３個のシンボルマークの組合せがメインコントローラ８０で判定される訳であるが、前記特定シンボルマーク（星印）が入賞ライン上に位置する場合には、この特定シンボルマーク（星印）のリールが回転移動されるのを待って（所定時間）判定を行ない、その組合せに応じた枚数のメダルが図示せぬホッパー装置から排出される。」（第３頁左下欄第５行〜第１３行）、　「以上説明したように、本発明スロットマシンによれば、熟練度の高い遊戯者に対してはより高度の技術を要求し、初心者に対しては当りの確率を高くすることができるため、ゲームとしての内容的高度性がまし、また初めての遊戯者にとっても非常に馴じみ易いため、従来にない高性能なスロットマシンが提供できる。
　さらにこれらの機能が特定シンボルマークの増設という非常に簡単な変更ですむため、製造上あるいはコスト的に非常に有効である。」（第４頁左欄第２行〜第１１行）と記載されている。（なお、甲第２号証の記載事項の摘記における「星印」は、原文では記号の「白抜き星印」となっている）
　甲第３号証には、
　「周面に複数個の絵柄を有する複数個のリールをハンドル操作で始動させた後、全リールが停止したときに、停止ライン上に並ぶ絵柄の組み合せに応じてゲームの勝負を決定するスロットマシンにおいて、前記停止ライン上に特定絵柄が停止したことを検出するための特定絵柄検出手段と、この特定絵柄検出手段の検出動作で全リールまたは所定のリールを自動的に始動させるリール始動手段と、このリール始動手段が自動的に始動させたリールを自動的に停止させて入賞絵柄を出現させるリール停止手段とを具備して成るスロットマシン。」（実用新案登録請求の範囲）、
　「特定絵柄検出手段、リール始動手段および、リール停止手段は、マイクロコンピュータのＣＰＵを制御主体としている実用新案登録請求の範囲第１項記載のスロットマシン。」（実用新案登録請求の範囲）、
　「なお上記の実施例は、停止ラインＬ上に各リール１ａ，１ｂ，１ｃの特定絵柄８が停止して、その絵柄の組み合わせが成立したときに入賞ゲームへ移行させているが、これに限らず、停止ラインＬ上にいずれかリールの特定絵柄が停止したときに入賞ゲームへ移行させるよう構成することも可能である。
　また上記の実施例では、特定絵柄の組み合わせが成立したとき、全リール１ａ，１ｂ，１ｃによる入賞ゲームを行っているが、この入賞ゲームはこれに限らず、いずれかリール単独による入賞ゲームを行うようにしてもよい。」（第１４頁第２行〜第１３行）、
　「この発明は上記の如く、ハンドル操作で全リールが始動した後に、これらリールが停止したとき、停止ライン上に特定絵柄が停止したことを検出して、全リールまたは所定のリールを自動的に始動させかつ自動的に停止させて、入賞絵柄を出現させるから、このリールの自動始動と自動停止とを繰り返して入賞絵柄を幾度も出現させることにより、高配当のコインを複数回に分けて放出し得、遊技者に対し、大きな勝利を得たという興奮を高めることができ、しかもその興奮や喜びが長時間にわたり持続させることができるなど、考案目的を達成した顕著な効果を奏する。」（第１４頁第１５行〜第１５頁第７行）と記載されている。
　
４．対比・判断
　そこで、本件発明１と甲第１号証乃至甲第３号証に記載の発明とを対比すると、後者はそのいずれもが、本件発明１の構成要件である「図柄組合わせ表示装置の図柄表示器の表示図柄として、特定の図柄からなる更新図柄を含み、図柄表示器が前記更新図柄で停止表示又は停止に近い緩速度で表示された場合に、他の図柄表示器が停止表示又は停止に近い緩速度で表示された後に、更新図柄を表示した該図柄表示器を変化させて、再び図柄を表示させる制御指令手段 」を備えておらず、またその構成を示唆する記載もない。
  そして、前者のものはこの点により明細書記載の作用効果を奏するものである。
　したがって、本件発明１は甲第１号証乃至甲第３号証に記載された発明に基づいて、当業者が容易に発明し得たものであるとは認められない。
  さらに、本件発明２及び３については、上記の前者（本件発明１）をさらに限定したものであるから、それらに対する判断は、前者に対する判断と同じである。
　
５．むすび
　以上のことより、特許異議申立ての理由及び証拠によっては、請求項１乃至３に係る発明の特許を取り消すことはできない。
　また、他に本件特許を取り消すべき理由を発見しない。
　よって、結論のとおり決定する。
【異議決定日】
平成１２年６月２１日（２０００．６．２１）